(57)【要約】    【課題】  敷紙を一体に備え、店頭までの輸送時に敷紙が折れ曲がることのない、包装お供え餅を提供する。    【解決手段】  お供え餅の外観を有する合成樹脂製の包装体１と紙製の敷紙２とを一体に備えた包装お供え餅であって、敷紙２はボール紙製であって包装体１の下面に接着されたものである。敷紙２はボール紙であって包装体１の下面に接着されたことにより、敷紙２が折れ曲がることを防止でき、敷紙２を一体に備え、店頭までの輸送時に敷紙２が折れ曲がることのない、包装お供え餅を提供することができる。    【選択図】  図１
0003107375.tif 000002
【実用新案登録請求の範囲】
【請求項１】
お供え餅の外観を有する合成樹脂製の包装体と紙製の敷紙とを一体に備えた包装お供え餅であって、前記敷紙はボール紙製であって前記包装体の下面に接着されたことを特徴とする包装お供え餅。
【請求項２】
お供え餅の外観を有する合成樹脂製の包装体と紙製の敷紙とを一体に備えた包装お供え餅であって、外周形状が前記敷紙と略同一であって前記敷紙を補強する板状体を前記敷紙の下面に設けたことを特徴とする包装お供え餅。
【請求項３】
前記板状体はボール紙製であることを特徴とする請求項２記載の包装お供え餅。
【請求項４】
前記敷紙は前記包装体の下面に接着されたことを特徴とする請求項２又は３記載の包装お供え餅。
【請求項５】
前記包装体の下部に鍔部が形成され、前記板状体は前記包装体の下面に接着されるとともに、前記敷紙は前記包装体の形状に対応した開口部を有し、前記敷紙は前記開口部に前記包装体を挿通し前記鍔部の上面を覆って設けられたことを特徴とする請求項２又は３記載の包装お供え餅。
【請求項６】
前記敷紙はボール紙製であることを特徴とする請求項５記載の包装お供え餅。
【請求項７】
前記包装体の下部に鍔部が形成され、前記板状体は前記鍔部と一体に合成樹脂で形成されるとともに、前記敷紙は前記包装体の形状に対応した開口部を有し、前記敷紙は前記開口部に前記包装体を挿通し前記鍔部の上面を覆って設けられたことを特徴とする請求項２記載の包装お供え餅。
【考案の詳細な説明】
【技術分野】
【０００１】
本考案は、包装お供え餅に関する。
【背景技術】
【０００２】
従来の包装お供え餅として、図８に示すように、包装お供え餅101に、包装お供え餅101を飾る際に用いられる敷紙102を備えたものが知られている。この敷紙102は略正方形であって、四方の縁が紅色に着色されているものである。
【０００３】
ところで、この敷紙102は薄い紙からなり、敷紙102を包装お供え餅101と一体に備えた場合には敷紙102が店頭までの輸送時に折れ曲がってしまって商品価値が低下してしまうという問題があった。このため、敷紙102は、店頭で包装お供え餅101とは別に配布されていた。しかしながら、需要者にとって、敷紙102を包装お供え餅101と別に受け取るのは面倒であるといった欠点があった。
【考案の開示】
【考案が解決しようとする課題】
【０００４】
本考案は、上記の欠点を克服し、敷紙を一体に備え、店頭までの輸送時に敷紙が折れ曲がることのない、包装お供え餅を提供することを目的とする。
【課題を解決するための手段】
【０００５】
本考案の請求項１記載の包装お供え餅は、お供え餅の外観を有する合成樹脂製の包装体と紙製の敷紙とを一体に備えた包装お供え餅であって、前記敷紙はボール紙製であって前記包装体の下面に接着されたことを特徴とする。
【０００６】
本考案の請求項２記載の包装お供え餅は、お供え餅の外観を有する合成樹脂製の包装体と紙製の敷紙とを一体に備えた包装お供え餅であって、外周形状が前記敷紙と略同一であって前記敷紙を補強する板状体を前記敷紙の下面に設けたことを特徴とする。
【０００７】
本考案の請求項３記載の包装お供え餅は、請求項２において、前記板状体はボール紙製であることを特徴とする。
【０００８】
本考案の請求項４記載の包装お供え餅は、請求項２又は３において、前記敷紙は前記包装体の下面に接着されたことを特徴とする。
【０００９】
本考案の請求項５記載の包装お供え餅は、請求項２又は３において、前記包装体の下部に鍔部が形成され、前記板状体は前記包装体の下面に接着されるとともに、前記敷紙は前記包装体の形状に対応した開口部を有し、前記敷紙は前記開口部に前記包装体を挿通し前記鍔部の上面を覆って設けられたことを特徴とする。
【００１０】
本考案の請求項６記載の包装お供え餅は、請求項５において、前記敷紙はボール紙製であることを特徴とする。
【００１１】
本考案の請求項７記載の包装お供え餅は、請求項２において、前記包装体の下部に鍔部が形成され、前記板状体は前記鍔部と一体に合成樹脂で形成されるとともに、前記敷紙は前記包装体の形状に対応した開口部を有し、前記敷紙は前記開口部に前記包装体を挿通し前記鍔部の上面を覆って設けられたことを特徴とする。
【考案の効果】
【００１２】
本考案の請求項１記載の包装お供え餅によれば、敷紙はボール紙製であって包装体の下面に接着されたことにより、敷紙が折れ曲がることを防止でき、敷紙を一体に備え、店頭までの輸送時に敷紙が折れ曲がることのない、包装お供え餅を提供することができる。
【００１３】
本考案の請求項２記載の包装お供え餅によれば、外周形状が敷紙と略同一であって敷紙を補強する板状体を敷紙の下面に設けたことにより、敷紙が折れ曲がることを防止でき、敷紙を一体に備え、店頭までの輸送時に敷紙が折れ曲がることのない、包装お供え餅を提供することができる。
【００１４】
本考案の請求項３記載の包装お供え餅によれば、板状体はボール紙製であるので、安価な材料を用いることで、敷紙が折れ曲がることを防止するためのコストを抑えることができる。
【００１５】
本考案の請求項４記載の包装お供え餅によれば、敷紙は包装体の下面に接着されたので、簡単に包装体に敷紙を一体に設けることができる。
【００１６】
本考案の請求項５記載の包装お供え餅によれば、敷紙は開口部に包装体を挿通し鍔部の上面を覆って設けられたので、敷紙で包装体の鍔部を隠して美観を向上させることができる。
【００１７】
本考案の請求項６記載の包装お供え餅によれば、敷紙はボール紙製であるので、敷紙の強度をさらに向上させることができる。
【００１８】
本考案の請求項７記載の包装お供え餅によれば、板状体は鍔部と一体に合成樹脂で形成されるので、板状体を別に用意する必要がなくなり、板状体を用意し接着するためのコストを削減することができる。
【考案を実施するための最良の形態】
【００１９】
以下、本考案における好ましい実施例について、添付図面を参照しながら説明する。
【実施例１】
【００２０】
本考案の包装お供え餅の第１実施例について、図１，図２を参照しながら説明する。
【００２１】
１は包装体であって、丸餅を２段重ねたお供え餅の外観を有するとともに、中空の合成樹脂製であって、餅が収容されている。
【００２２】
この包装体１の下面には敷紙２が両面テープ、接着剤などで接着され、包装体１と敷紙２は一体になっている。この敷紙２はボール紙製であって、略正方形の四辺が、印刷などによって紅色に着色されたものである。
【００２３】
また、包装体１の下部には鍔部４が形成されている。この鍔部４は、容器状の包装体１の底面を図示しない合成樹脂製のフィルムで閉塞するために形成されているものである。さらに、包装体１の上部には橙５が載置されている。この橙５は合成樹脂製であって、透明な合成樹脂製のカバー６によって覆われて包装体１の上部に保持されている。また、包装体１の中央のくびれた部分には、水引７が設けられている。
【００２４】
つぎに、作用について説明する。敷紙２はボール紙製であり、ボール紙は硬くて折れ曲がりにくいので、簡単な構成でありながら敷紙２が折れ曲がることが防止される。また、敷紙２を包装体１の下面に接着するだけで、簡単に包装体１に敷紙２を一体に設けることができるとともに、敷紙２にボール紙という安価な材料を用いることで、製造コストを抑えることができる。
【００２５】
以上のように、本実施例の包装お供え餅によれば、お供え餅の外観を有する合成樹脂製の包装体１と紙製の敷紙２とを一体に備えた包装お供え餅であって、敷紙２はボール紙製であって包装体１の下面に接着されたものである。敷紙２はボール紙製であって包装体１の下面に接着されたことにより、敷紙２が折れ曲がることを防止でき、敷紙２を一体に備え、店頭までの輸送時に敷紙２が折れ曲がることのない、包装お供え餅を提供することができる。
【実施例２】
【００２６】
本考案の包装お供え餅の第２実施例について、図３，図４を参照しながら説明する。
【００２７】
１は包装体であって、丸餅を２段重ねたお供え餅の外観を有するとともに、中空の合成樹脂製であって、餅が収容されている。
【００２８】
この包装体１の下面には敷紙２Ａが両面テープ、接着剤などで接着され、包装体１と敷紙２Ａは一体になっている。この敷紙２Ａは薄手の無色の紙製であって、略正方形の四辺が紅色に着色されたものである。
【００２９】
そして、この敷紙２Ａの下面には、敷紙２Ａを補強する板状体３が敷紙２Ａに両面テープ、接着剤などで接着されて設けられている。この板状体３はボール紙からなり、外周形状は敷紙２Ａと略同一となっている。
【００３０】
また、包装体１の下部には鍔部４が形成されている。この鍔部４は、容器状の包装体１の底面を図示しない合成樹脂製のフィルムで閉塞するために形成されているものである。さらに、包装体１の上部には橙５が載置されている。この橙５は合成樹脂製であって、透明な合成樹脂製のカバー６によって覆われて包装体１の上部に保持されている。また、包装体１の中央のくびれた部分には、水引７が設けられている。
【００３１】
つぎに、作用について説明する。敷紙２Ａの下面に設けられた板状体３によって、敷紙２Ａが補強されるため、簡単な構成でありながら敷紙２Ａが折れ曲がることが防止される。また、敷紙２Ａを包装体１の下面に接着するだけで、簡単に包装体１に敷紙２Ａを一体に設けることができるとともに、板状体３にボール紙という安価な材料を用いることで、製造コストを抑えることができる。
【００３２】
以上のように、本実施例の包装お供え餅によれば、お供え餅の外観を有する合成樹脂製の包装体１と紙製の敷紙２Ａとを一体に備えた包装お供え餅であって、外周形状が敷紙２Ａと略同一であって敷紙２Ａを補強する板状体３を敷紙２Ａの下面に設けたものである。外周形状が敷紙２Ａと略同一であって敷紙２Ａを補強する板状体３を敷紙２Ａの下面に設けたことにより、敷紙２Ａが折れ曲がることを防止でき、敷紙２Ａを一体に備え、店頭までの輸送時に敷紙２Ａが折れ曲がることのない、包装お供え餅を提供することができる。
【００３３】
また、板状体３はボール紙製であるので、安価な材料を用いることで、敷紙２Ａが折れ曲がることを防止するためのコストを抑えることができる。
【００３４】
さらに、敷紙２Ａは包装体１の下面に接着されたので、簡単に包装体１に敷紙２Ａを一体に設けることができる。
【実施例３】
【００３５】
本考案の包装お供え餅の第３実施例について、図５，図６を参照しながら説明する。なお、第２実施例と共通の部分には同じ符号を付し、その説明を省略する。
【００３６】
本実施例においては、板状体３は包装体１の下面に直接接着されており、敷紙２Ｂの中央には包装体１の形状に対応した開口部８が形成されている。すなわち、開口部８は、包装体１の底面の、鍔部４を除いた部分の形状と略同一となっている。そして、敷紙２Ｂは開口部８に包装体１を挿通し、板状体３と接着されて設けられており、敷紙２Ｂによって鍔部４の上面が全体的に覆われている。なお、包装体１の丸餅を２段重ねた形状の部分は、敷紙２Ｂによって覆われていない。
【００３７】
つぎに、作用について説明する。敷紙２Ｂの下面に設けられた板状体３によって、敷紙２Ｂが補強されるため、簡単な構成でありながら敷紙２Ｂが折れ曲がることが防止される。また、敷紙２Ｂの開口部８に包装体１を挿通し、包装体１の下面に接着された板状体３に接着するだけで、簡単に包装体１に敷紙２Ｂを一体に設けることができるとともに、板状体３にボール紙という安価な材料を用いることで、製造コストを抑えることができる。さらに、敷紙２Ｂの中央に包装体１の形状に対応した開口部８を形成したことで、敷紙２Ｂによって包装体１の鍔部４が隠され、包装体１の丸餅を２段重ねた形状の部分のみが現れるため、美観が向上する。
【００３８】
以上のように、本実施例の包装お供え餅によれば、包装体１の下部に鍔部４が形成され、板状体３は包装体１の下面に接着されるとともに、敷紙２Ｂは包装体１の形状に対応した開口部８を有し、敷紙２Ｂは開口部８に包装体１を挿通し鍔部４の上面を覆って設けられたものである。敷紙２Ｂは開口部８に包装体１を挿通し鍔部４の上面を覆って設けられたので、敷紙２Ｂで包装体１の鍔部４を隠して美観を向上させることができる。
【実施例４】
【００３９】
本考案の包装お供え餅の第４実施例は、上記第３実施例の敷紙２Ｂをボール紙製としたものである。敷紙２Ｂはボール紙製であるので、敷紙２Ｂの強度をさらに向上させることができる。
【実施例５】
【００４０】
本考案の包装お供え餅の第５実施例について、図７を参照しながら説明する。なお、第１実施例，第２実施例と共通の部分には同じ符号を付し、その説明を省略する。
【００４１】
本実施例においては、板状体３Ａが鍔部４Ａと一体に、鍔部４Ａと同じ合成樹脂で形成されている。すなわち、鍔部４Ａが敷紙２Ｂの形状と略同一に形成されている。
【００４２】
そして、第２実施例と同様に、敷紙２Ｂの中央には包装体１の形状に対応した開口部８が形成されている。すなわち、開口部８は、包装体１の底面の、鍔部４Ａを除いた部分の形状と略同一となっている。敷紙２Ｂは開口部８に包装体１を挿通し、板状体３Ａと接着されて設けられており、敷紙２Ｂによって鍔部４Ａの上面が全体的に覆われている。なお、包装体１の丸餅を２段重ねた形状の部分は、敷紙２Ｂによって覆われていない。
【００４３】
つぎに、作用について説明する。敷紙２Ｂの下面に設けられた板状体３Ａによって、敷紙２Ｂが補強されるため、簡単な構成でありながら敷紙２Ｂが折れ曲がることが防止される。また、敷紙２Ｂの開口部８に包装体１を挿通し、鍔部４Ａと一体に形成された板状体３Ａに接着するだけで、簡単に包装体１に敷紙２Ｂを一体に設けることができる。また、板状体３Ａを鍔部４Ａと一体に、鍔部４Ａと同じ合成樹脂で形成することで、板状体３Ａを別に用意する必要がなくなり、板状体３Ａを用意するためのコストを削減することができるとともに、板状体３Ａを包装体１に接着する工程を省略し、製造コストを抑えることができる。さらに、敷紙２Ｂの中央に包装体１の形状に対応した開口部８を形成したことで、敷紙２Ｂによって包装体１の鍔部４Ａが隠され、包装体１の丸餅を２段重ねた形状の部分のみが現れるため、美観が向上する。
【００４４】
以上のように、本実施例の包装お供え餅によれば、包装体１の下部に鍔部４Ａが形成され、板状体３Ａは鍔部４Ａと一体に合成樹脂で形成されるとともに、敷紙２Ｂは包装体１の形状に対応した開口部８を有し、敷紙２Ｂは開口部８に包装体１を挿通し鍔部４Ａの上面を覆って設けられたものである。敷紙２Ｂは開口部８に包装体１を挿通し鍔部４Ａの上面を覆って設けられたので、敷紙２Ｂで包装体１の鍔部４Ａを隠して美観を向上させることができる。また、板状体３Ａは鍔部４Ａと一体に合成樹脂で形成されるので、板状体３Ａを別に用意する必要がなくなり、板状体３Ａを用意し接着するためのコストを削減することができる。
【００４５】
なお、本考案は上記各実施例に限定されるものではなく、本考案の思想の範囲内で変形実施が可能である。
【図面の簡単な説明】
【００４６】
【図１】本考案の第１実施例を示す包装お供え餅の斜視図である。
【図２】同上分解斜視図である。
【図３】本考案の第２実施例を示す包装お供え餅の斜視図である。
【図４】同上分解斜視図である。
【図５】本考案の第３実施例を示す包装お供え餅の斜視図である。
【図６】同上分解斜視図である。
【図７】本考案の第５実施例を示す包装お供え餅の分解斜視図である。
【図８】従来例を示すお供え餅の斜視図である。
【符号の説明】
【００４７】
１  包装体
２，２Ａ，２Ｂ  敷紙
３，３Ａ  板状体
４，４Ａ  鍔部
８  開口部
【図１】
0003107375.tif 000003
【図２】
0003107375.tif 000004
【図３】
0003107375.tif 000005
【図４】
0003107375.tif 000006
【図５】
0003107375.tif 000007
【図６】
0003107375.tif 000008
【図７】
0003107375.tif 000009
【図８】
0003107375.tif 000010